(57)【要約】【課題】  収容袋の着脱作業を迅速且つ容易に行うことができ、しかも、収容袋の取り扱い性に優れた回収装置を提供する。【解決手段】  本発明は、上記課題を解決すべく構成され、収容袋３の開口３ａが開いた状態で該収容袋３を支持する支持部１１を複数備えることにより、複数の収容袋３，…を並べて装着可能な回収装置において、収容袋３の開口縁部のうち、少なくとも対向する箇所に一対の把手３０，３０が設けられ、支持部１１は、係止用突片１１ａによって把手３０を係脱自在に支持するようになっている。【選択図】図６
2009120326.tif 000002
【特許請求の範囲】
【請求項１】
収容袋の開口が開いた状態で該収容袋を支持する支持部を複数備えることにより、複数の収容袋を並べて装着可能な回収装置において、
収容袋の開口縁部のうち、少なくとも対向する箇所に一対の把手が設けられ、支持部は、把手を係脱自在に構成されることを特徴とする回収装置。
【請求項２】
少なくとも各収容袋の開口の外方空間を覆い、且つ各収容袋の開口に対して共通となる投入口を有する筐体が設けられると共に、前記投入口と、隣り合う収容袋の開口間を仕切る仕切体とによって、複数の投入部が形成される請求項１に記載の回収装置。
【請求項３】
収容袋を三つ以上装着可能とすべく支持部が設けられると共に、これに併せて、仕切体が二つ以上設けられ、しかも、支持部の一部又は全部が仕切体に設けられることにより、収容袋の一部又は全部は、仕切体によって一部又は全部が支持される請求項２に記載の回収装置。
【請求項４】
把手は、収容袋の開口縁部に着脱自在な別部材で構成され、開口縁部に取り付けられる取付部と、該取付部の上方に設けられ、支持部に係止される係止部と、該係止部よりも上方に設けられ、人が把持するための把持部とで構成され、把手は、支持部を中心として傾かせることが可能となっている請求項３に記載の回収装置。
【請求項５】
把手は、収容袋の開口縁部に着脱自在な別部材で構成され、開口縁部に取り付けられる取付部と、該取付部の上方に設けられ、支持部に係止される係止部と、同じく取付部の上方に設けられ、人が把持するための把持部とで構成され、把持部は、係止部に対し、収容袋の開口の中心側に変位される請求項３に記載の回収装置。
【発明の詳細な説明】
【技術分野】
【０００１】
本発明は、不要になった書類やゴミ等、廃棄すべき物やリサイクルすべき物（以下、「収容物」という）を一時的に蓄積しておくための回収装置に関する。
【背景技術】
【０００２】
従来、収容物を容器内にそのまま入れるのではなく、フレーム等の枠体からなる装置本体に支持された収容袋内に入れるようにした回収装置が広く一般的に知られている。そして、この種の回収装置にあっては、その収容袋を装置本体に装着する方法として、フレームに収容袋の開口縁部を折り返して沿わせたり（特許文献１）、フレームに取り付けられたクリップで収容袋の開口縁部を挟持したり（特許文献２）、フレームの複数箇所に設けられた突起に収容袋の開口縁部を引っ掛けたり（特許文献３）、といった様々な支持構造が存在する。
【０００３】
【特許文献１】特開２００６−１４３４１３号公報（特に図３参照）
【特許文献２】特開平１０−４５１１９号公報（特に図７参照）
【特許文献３】特開平１０−１７５７０１号公報（特に図２参照）
【発明の開示】
【発明が解決しようとする課題】
【０００４】
しかしながら、上記何れの回収装置も、支持構造が簡潔でないために、収容袋の取り付け・取り外し（着脱）作業が煩雑になるという問題があり、また、支持構造の強度が十分でないために、収容物の量が増えると、場合によっては収容袋の支持状態が不用意に解除されてしまうという問題がある。
【０００５】
また、上記何れの回収装置も、ある程度蓄積された収容袋内の収容物を取り出して他所に移し替えるといった作業を想定した場合、収容袋の取り扱い性が悪いために、作業性が劣るという問題がある。それよりもむしろ、上記何れの回収装置もが、収容袋を収容物と共に廃棄するものと位置付けており、そのため、収容袋内の収容物を取り除いた後、その収容袋を再び使用に供するという考えは基本的には持ち合わせていない。
【０００６】
これに対し、例えばオフィスにおいて不要となった書類を回収する回収装置は、収容袋が布やシートからなる丈夫なもので構成され、収容袋内の収容物を取り出して他所に移し替えた後、その収容袋を再び使用に供するものであり、収容袋を廃棄の対象とはしていない。しかしながら、この種の収容袋は、開口縁部の複数箇所から突出する面ファスナ付きの突片をフレームに巻き掛けるようにして折り返し、これら折り返した突片の面ファスナを開口縁部に取り付けられた他方側の面ファスナに止着させて装着する構造であるため、やはり収容袋の取り付け・取り外し（着脱）作業が煩雑になるという問題がある。
【０００７】
そこで、本発明は、上記問題に鑑みてなされたもので、収容袋の着脱作業を迅速且つ容易に行うことができ、しかも、収容袋の取り扱い性に優れた回収装置を提供することを課題とする。
【課題を解決するための手段】
【０００８】
本発明は、上記課題を解決すべく構成され、収容袋の開口が開いた状態で該収容袋を支持する支持部を複数備えることにより、複数の収容袋を並べて装着可能な回収装置において、収容袋の開口縁部のうち、少なくとも対向する箇所に一対の把手が設けられ、支持部は、把手を係脱自在に構成されることを特徴とする。
【０００９】
かかる構成によれば、一対の把手を把持して収容袋を取り付け、また、一対の把手を把持して収容袋を取り外すようにすることで、収容袋の着脱作業を迅速且つ容易に行うことができる。また、ある程度蓄積された収容袋内の収容物を取り出す作業を行う際、一対の把手を把持して収容袋を取り扱うことができるため、収容袋の取り扱い性が良くなり、その結果、作業性を向上することができる。
【００１０】
また、本発明は、少なくとも各収容袋の開口の外方空間を覆い、且つ各収容袋の開口に対して共通となる投入口を有する筐体が設けられると共に、前記投入口と、隣り合う収容袋の開口間を仕切る仕切体とによって、複数の投入部が形成される構成を採用することができる。
【００１１】
かかる構成によれば、各収容袋の開口は、筐体によって覆われて見えないか、そうでないにしても見えにくくなっている。また、投入口は、各収容袋の開口に対して個別に設けられるものではなく、各収容袋の開口に対して共通となっており、しかしながら、仕切体で所望の状態に複数の投入部が形成されるようになっている。従って、各収容袋の開口が露呈するといった見栄えの悪さを解消しつつ、各収容袋の開口サイズに合ったものを簡単に構成することができる。
【００１２】
また、本発明は、収容袋を三つ以上装着可能とすべく支持部が設けられると共に、これに併せて、仕切体が二つ以上設けられ、しかも、支持部の一部又は全部が仕切体に設けられることにより、収容袋の一部又は全部は、仕切体によって一部又は全部が支持される構成を採用することができる。
【００１３】
ここで、「一部が支持される」とは、把手の一方のみが仕切体に設けられた支持部に支持され、他方が別構成（例えばフレーム）に設けられた支持部に支持される状態を言い、「全部が支持される」とは、隣り合う二つの仕切体において、把手の一方が一方の仕切体に設けられた支持部に支持され、把手の他方が他方の仕切体に設けられた支持部に支持される状態を言う。ちなみに、収容袋が前記別構成（例えばフレーム）と仕切体とに跨って支持される場合であれ、収容袋が隣り合う二つの仕切体に跨って支持される場合であれ、前記別構成（例えばフレーム）と仕切体、そして、仕切体同士は、互いに離間しているため、収容袋の開口が開いた状態で該収容袋が支持されるのである。
【００１４】
また、本発明は、把手が、収容袋の開口縁部に着脱自在な別部材で構成され、開口縁部に取り付けられる取付部と、該取付部の上方に設けられ、支持部に係止される係止部と、該係止部よりも上方に設けられ、人が把持するための把持部とで構成され、把手は、支持部を中心として傾かせることが可能な構成を採用することができる。
【００１５】
あるいは、本発明は、把手が、収容袋の開口縁部に着脱自在な別部材で構成され、開口縁部に取り付けられる取付部と、該取付部の上方に設けられ、支持部に係止される係止部と、同じく取付部の上方に設けられ、人が把持するための把持部とで構成され、把持部は、係止部に対し、収容袋の開口の中心側に変位される構成を採用することができる。
【００１６】
かかる構成によれば、把持部が仕切体（場合によっては、上記フレームも）から離間することとなり、人が把持部を把持する際に、把持部と仕切体（場合によっては、上記フレームも）との間に手を入れる余裕空間が形成されるため、人は把持部を容易に把持しやすくなり、作業性が向上する。
【発明の効果】
【００１７】
以上の如く、本発明は、収容袋の着脱作業を迅速且つ容易に行うことができ、しかも、収容袋の取り扱い性に優れた回収装置を提供することができる。
することができる。
【発明を実施するための最良の形態】
【００１８】
以下、本発明の一実施形態として、例えばオフィスといった職場環境に設置され、不要になった書類をその種類（Ａ４、Ａ３、Ｂ５といった用紙サイズ、用紙の厚さ、用紙の紙質等、用紙の特性）に応じて分別し、これらを廃棄物やリサイクル用に一時的に蓄積しておくための回収装置について、図面を参酌しつつ説明する。
【００１９】
図１は、装置本体１と、該装置本体１を収容する主筐体２とで構成される本実施形態に係る回収装置であって、装置本体１が主筐体２から引き出された状態の斜視図、図２は、装置本体１が主筐体２内に収容された状態の斜視図、図３（イ）は、図２のＡ−Ａ線断面背面図、図３（ロ）は、図２のＢ−Ｂ線断面平面図、をそれぞれ示す。
【００２０】
図１〜３に示す如く、本実施形態に係る回収装置は、収容袋３の開口３ａが開いた状態で該収容袋３を支持する支持部１０を複数備えることにより、複数の収容袋３，…を並べて装着可能であり、少なくとも各収容袋３の開口３ａの外方空間（開口３ａよりも収容袋３の外方に位置し、開口３ａを介して収容袋３内に繋がる空間）を覆い、且つ各収容袋３の開口３ａに対して共通となる投入口１４を有する筐体（後述するように、主筐体２と、装置本体１の正面パネル１３とで構成される）が設けられる。
【００２１】
より詳しく言うと、本実施形態に係る回収装置は、収容袋３の開口３ａが上方に開いた状態で該収容袋３を支持する支持部１０を複数備えることにより、複数の収容袋３，…を横一列に並べて装着可能であり、主筐体２及び正面パネル１３とで構成される筐体によって各収容袋３の開口３ａの上方空間を覆いつつ、該筐体内に各収容袋３が収容されるようになっており、しかも、各開口３ａに対して共通となる横長の投入口１４が筐体の正面部（正確には、正面パネル１３）に形成される。
【００２２】
また、本実施形態に係る回収装置は、投入口１４と、隣り合う収容袋３，３の開口３ａ，３ａ間を仕切る仕切体１５とによって、複数の投入部が形成され、該仕切体１５は、各収容袋３の開口サイズに応じて位置変更自在に構成される。
【００２３】
ここで、装置本体１は、フレーム１２と、該フレーム１２に取り付けられる正面パネル１３と、フレーム１２の上部に着脱自在に取り付けられる複数の仕切体１５，…とを備えて構成される。
【００２４】
フレーム１２は、仕切体１５が取り付けられる上部フレーム１２ａと、該上部フレーム１２ａと平行にして下方に配置される下部フレーム１２ｂと、上部フレーム１２ａ及び下部フレーム１２ｂとを一体的に連結する縦フレーム１２ｃと、下部フレーム１２ｂに掛け渡される底フレーム１２ｄとからなる。
【００２５】
上部フレーム１２ａ及び下部フレーム１２ｂは、同一形状であり、長方形状乃至略長方形状の環状に形成されている。また、縦フレーム１２ｃは、上部フレーム１２ａ及び下部フレーム１２ｂのそれぞれ一方の長辺部（正面側の長辺部）における端部同士を連結する。これら上部フレーム１２ａ、下部フレーム１２ｂ及び縦フレーム１２ｃは、金属製（詳しくはアルミ製）の角パイプを用いて構成される。また、底フレーム１２ｄは、同じく金属製（詳しくはアルミ製）であるが、丸パイプを用いて構成され、下部フレーム１２ｂの対向する短辺部同士に掛け渡される。しかも、底フレーム１２ｄは、複数本からなり、互いに平行で且つ下部フレーム１２ｂの長辺部とも平行にして配置される。
【００２６】
従って、フレーム１２は、側面視にて略コ字状となり、平面視にて長方形状乃至略長方形状となる。尚、各収容袋３は、上部フレーム１２ａに対して上方から内部に挿入され、底部が下部フレーム１２ｂに至る長さ（高さ）に形成されるため、複数の底フレーム１２ｄ，…は、収容袋３内に収容物が蓄積されるに従って、収容袋３の底部が沈み込んできた場合の荷重受け部を構成する。
【００２７】
正面パネル１３は、上部フレーム１２ａ及び下部フレーム１２ｂのそれぞれ一方の長辺部と、左右一対の縦フレーム１２ｃ，１２ｃとにビス等で取り付けられ、これにより、フレーム１２と正面パネル１３とが一体化される。正面パネル１３は、主筐体２の正面側の開口に一致する形状に形成され、これにより、主筐体２及び正面パネル１３とで一つの筐体を構成する。
【００２８】
また、正面パネル１３は、下縁が下部フレーム１２ｂと一致し、上縁が上部フレーム１２ａよりも上方に延長する矩形状乃至略矩形状を呈し、延長部分に投入口１４が形成される。延長部分は、横長の長方形状乃至略長方形状であり、そのため、ここに形成される投入口１４も、横長の長方形状乃至略長方形状である。
【００２９】
より詳しくは、投入口１４は、一方の端部が上部フレーム１２ａの一方の短辺部近傍にまで形成され、他方の端部が上部フレーム１２ａの他方の短辺部近傍まで形成され、従って、投入口１４の横方向の長さは、上部フレーム１２ａの短辺部同士間の距離と一致乃至略一致する。また、投入口１４は、その下縁部が上部フレーム１２ａの一方の長辺部に沿って形成される。そして、複数の収容袋３，…は、平面視にて全て上部フレーム１２ａ内に配置されるため、投入口１４は、各収容袋３の開口３ａを跨ぐ格好となり、そのため、各収容袋３の開口３ａに対して共通となっている。
【００３０】
仕切体１５は、装着されるべき収容袋３，…の総数から一つ減算した数だけ用いられ、板状に形成される。上部フレーム１２ａのそれぞれ長辺部には、適宜間隔を有して複数の係止用スリット１２ｅ，…が形成され、仕切体１５の前後に設けられた係止片（図示しない）が何れか前後一対の係止用スリット１２ｅ，１２ｅに係入されることにより、仕切体１５は、投入口１４の長手方向（正面から見れば、左右方向）に対して適宜位置に位置決めされる。
【００３１】
また、仕切体１５は、前後方向の長さ（正面パネル１３と直交する方向の長さ）が上部スリット１２ａの対向する長辺部同士間の距離と一致乃至略一致し、高さが投入口１４の高さ寸法と一致乃至略一致するような長方形状乃至略長方形状を有する。従って、仕切体１５は、平面視にて上部フレーム１２ａを縦方向に完全に仕切ると共に、人間が起立した状態の視線にて投入口１４を完全に仕切る格好となり、そのため、投入口１４と、隣り合う収容袋３，３の開口３ａ，３ａ間を仕切る仕切体１５とによって、分別回収のための複数の投入部が形成される。
【００３２】
収容袋３を支持する支持部１０は、支持金具１１からなり、左右両端の支持金具１１，１１は、それぞれ上部フレーム１２ａ（のそれぞれ短辺部）の内側に取り付けられる。また、残りの支持金具１１，…は、仕切体１５の下縁部に取り付けられる。そして、各収容袋３の開口縁部のうち、少なくとも対向する箇所には、一対の把手（これについては後述する）が設けられ、支持金具１１は、収容袋３の各把手を係脱自在に構成される。
【００３３】
即ち、本実施形態においては、フレーム１２の左右両側にそれぞれ支持金具１１が設けられ、二つの仕切体１５，１５のそれぞれ下縁部に左右兼用の支持金具１１が設けられ、そのため、一つ目の収容袋３が、フレーム１２に設けられた一方の支持金具１１と、それに対向する一方の仕切体１５に設けられた支持金具１１とに跨って支持され、二つ目の収容袋３が、該一方の仕切体１５に設けられた支持金具１１と、他方の仕切体１５に設けられた支持金具１１とに跨って支持され、三つ目の収容袋３が、該他方の仕切体１５に設けられた支持金具１１と、それに対向するフレーム１２に設けられた他方の支持金具１１とに跨って支持され、その結果、三つの収容袋３，…がフレーム１２に装着されるようになっている。
【００３４】
ここで、収容袋３は、布やシートを素材としているため、レジ袋やゴミ袋といったビニール袋と異なり、十分な強度及び耐久性を有する。また、収容袋３は、角底を有する角筒形状を有し、そのため、開口３ａも矩形状乃至略矩形状となっている。従って、正面パネル１３に沿って複数の収容袋３，…が並べられると、それらの開口３ａ，…もまた、長方形乃至略長方形を構成するかの如く並ぶこととなる。そして、これらは、平面視にて上部フレーム１２ａの内部に収まるため、幅（左右方向の長さ）が投入口１４のそれと一致するようになっている。
【００３５】
図４に示す如く、収容袋３が備える把手３０は、開口３ａの一つの辺部と同一乃至略同一の長さを有して該辺部における開口縁部に取り付けられる取付部３０ａと、該取付部３０ａから延出し、支持金具１１（より詳しくは、支持金具１１の係止用突片（後述する図６参照））に係止される係止部３０ｂと、該係止部３０ｂからさらに延出し、人が把手３０を把持するための把持部３０ｃとで構成される。通常の使用状態において、取付部３０ａが下、把持部３０ｃが上となることを鑑みると、取付部３０ａの上方に係止部３０ｂが形成され、係止部３０ｂよりも上方に把持部３０ｃが形成されるということである。
【００３６】
支持金具１１の係止用突片が二箇所設けられているため、係止部３０ｂは、それに合わせて二つとなっており、それよりも幅狭になって把持部３０ｃが設けられる。但し、把持部３０ｃの幅は、人が把持するのに煩わしさを感じない程度の寸法が確保されている。尚、十分な剛性を担保する趣旨で、取付部３０ａから延出する一対の係止部３０ｂ，３０ｂと、該一対の係止部３０ｂ，３０ｂから延出する把持部３０ｃとは、取付部３０ａの端部を除く部分とでループを構成する。
【００３７】
一方、収容袋３の開口縁部には、同じく布やシートで形成され、開口縁部と一体的に縫製された止着用突片３１及び端部挿入用筒孔３２が設けられる。止着用突片３１は、それぞれ開口縁部から突出する端部止着用突片３１ａ及び中央部止着用突片３１ｂからなり、端部止着用突片３１ａは、開口３ａの辺部の一端部（開口縁部の角部）近傍に設けられることで、把手３０の取付部３０ａの一方の端部を止着し、中央部止着用突片３１ｂは、開口３ａの辺部の中央部（開口縁部の隣り合う角部間における中央部）に設けられることで、把手３０の取付部３０ａの端部を除く部分を止着し、端部挿入用筒孔３２は、把手３０の取付部３０ａの他方の端部を挿入する。
【００３８】
より詳しくは、端部止着用突片３１ａ及び中央部止着用突片３１ｂは、内面（開口縁部側に折り返した状態で該開口縁部と対向する側の面）に、面ファスナ３３を備える一方、これに対応する開口縁部には、該面ファスナ３３が係着可能な他方の面ファスナ３４を備える。従って、把手３０を収容袋３の開口縁部に取り付けるに当たっては、まず、把手３０の取付部３０ａの一方の端部を端部挿入用筒孔３２内に挿入し、しかる後、端部止着用突片３１ａ及び中央部止着用突片３１ｂを折り返し、一方の面ファスナ３３と他方の面ファスナ３４とを係着させ、把手３０の取付部３０ａの中央部及び他方の端部を固定する。尚、他方の面ファスナ３４は、収容袋３の開口縁部の内面に設けられるため、端部止着用突片３１ａ及び中央部止着用突片３１ｂは、開口縁部の内側に折り返すようになっているが、逆に、他方の面ファスナ３４を開口縁部の外面に設け、端部止着用突片３１ａ及び中央部止着用突片３１ｂを外側に折り返すようにしてもよい。
【００３９】
また、収容袋３は、図５に示す如く、把手３０が取り付けられる辺部と隣り合う辺部における側面部（一対の把手３０，３０の対向方向と交差する方向における収容袋３の側面部、以下、「襠部」と言う）を絞ることにより、収容袋３の幅を変化させ、ひいては、収容部３の開口サイズを変更することができるようになっている。具体的には、それぞれ襠部に、高さ方向に沿って長尺な面ファスナ３５を設け、該面ファスナ３５が係着可能な他方の長尺な面ファスナ３６を同じく襠部に一方の面ファスナ３５と間隔を空けて設け、両面ファスナ３５，３６を互いに係着させることにより、該両面ファスナ３５，３６間の襠部を折り込み（好ましくは収容袋３の内側）、襠部の幅寸法を変化させ、ひいては、収容部３の開口サイズを変更することができるようになっている。
【００４０】
また、他方の面ファスナ３６は、開口縁部よりも延出した折り返し片３６ａを有し、また、折り返し片３６ａを折り返した際、その面ファスナ３６が係着可能な面ファスナ（図示しない）を前記一方の面ファスナ３５とは反対側の面に設け、折り返し片３６ａが図示しない面ファスナによって係着され、折り込まれた部分を挟持することにより、互いに係着した面ファスナ３５，３６同士が不用意に外れないよう、即ち、襠部の絞りが不用意に解除されないよう、工夫がなされている。
【００４１】
尚、面ファスナ３５，３６は、収容袋３の底部にまで到達する長さを有していてもよいし、収容袋３の高さ方向途中位置までの長さを有していてもよい。但し、収容袋３のサイズが大きくなるほど、面ファスナ３５，３６をより長いものにし、絞り効果を高めるようにするのが好ましい。
【００４２】
図１〜３に戻り、主筐体２は、天板２０と、該天板２０の両側縁から下方に垂下する一対の側板２１，２１と、天板２０の後端縁から下方に垂下すると共に左右一対の側板２１，２１と連結される背板２２とを備える。天板２０は、物を載置したり、作業を行ったりと、多目的に使うことができ、この点、主筐体２を多目的ドックとも言う。また、必要に応じて、化粧板２３を設けることもある。
【００４３】
一対の側板２１，２１は、装置本体１が主筐体２内で不用意に動かないよう、その間隔が装置本体１のフレーム１２の幅寸法と同一乃至略同一に設定され、且つ、その奥行きが装置本体１のフレーム１２の奥行き寸法と同一乃至略同一に設定される。また、装置本体１を主筐体２内に収容する際、円滑に導入されるよう、一対の側板２１，２１の開口側は、ガイド作用を有するテーパ状に拡開する。
【００４４】
尚、装置本体１の正面パネル１３の上部に取り付けられているのは、グリップバー１６であり、装置本体１がキャスター１７（詳細に言えば、キャスター１７は、正面パネル１３の下縁部の両端二箇所と、下部フレーム１２ｂの角部二箇所の合計四箇所に設けられる）によって移動可能に構成されている上で、該装置本体１を動かす際に掴む部分である。この点、装置本体１をダストカートとも言う。
【００４５】
また、仕切体１５によって形成された複数の投入部（であって、投入口１４の各区画）にそれぞれ設けられているのは、分別すべき種類を示す情報が記載されているタグ１８である。このタグ１８は、投入口１４の下縁部にスライド自在且つ着脱自在に取り付けられ、仕切体１５の取付位置に応じて取付位置が変更されるようになっている。
【００４６】
ここで、本実施形態に係る収容袋３の支持構造について、図６を参酌しつつ、もう少し詳細に説明する。一部の支持金具１１，…が仕切体１５の下縁部に取り付けられること、そして、収容袋３の開口縁部に設けられる把手３０を係止するために支持金具１１が係止用突片を備えること、は上述の如くであるが、その係止用突片１１ａは、斜め上方に傾斜しており、先端側ほど仕切体１５から離間するようになっている。そのため、同図（ロ）に示す如く、収容袋３の把手３０を斜め上方に傾斜させることができる。そうすると、把手３０の把持部３０ｃもまた、仕切体１５からより離間することとなり、人が把持部３０ｃを把持する際に、手を入れる余裕空間が形成される。
【００４７】
また、そうなることで、人は収容袋３を簡単に持ち上げて、装置本体１から取り外すことが可能となり、また、取り付け時にも同じことが言えるため、本実施形態によれば、収容袋３の着脱作業を迅速且つ容易に行うことができるようになる。本実施形態は、収容袋３が不要になった書類を収容するものであるため、収容物がある程度蓄積されると、収容袋３はかなりの重量物となってしまうが、このようなケースにおいて特に有用なことが理解できるであろう。
【００４８】
また、本実施形態は、収容袋３の着脱作業に際し、装置本体１を主筐体２から引き出すようになっていることで、装置本体１は全面開放された状態になり、この点においても、収容袋３の着脱作業を迅速且つ容易に行うことができるようになる。
【００４９】
また、本実施形態は、収容袋３に一対の把手３０，３０を設けることで、収容袋３の取り扱い性が非常に優れたものとなり、従って、ある程度蓄積された収容袋３内の収容物を取り出し、廃棄やリサイクルのために他所に移し替えるといった作業を行う場合、作業性が非常に良くなる。
【００５０】
次に、本実施形態に係る分別態様について、図７及び図８を参酌しつつ説明する。図７は、三つの収容袋３，…を装着する上で、それら収容袋３，…の各開口サイズが同じものを用いた例であり、図８は、開口サイズを異ならせた例である。そのような収容袋３は、そもそも開口サイズが異なる大きさのものを用いてもよいし、あるいは、上述したように、開口サイズを変更したものを用いてもよい。
【００５１】
何れにしても、職場環境によって、不要になった書類の種類や量に格差が生じるから、その種類や量に最も適した比率の分別を行う必要がある。本実施形態によれば、仕切体１５の取付位置を変更することにより、最も適した比率の分別を行うことが可能となる。しかも、本実施形態によれば、仕切体１５の取付位置を変更すると、それに伴い、収容袋３の把手３０を支持するための支持金具１１も位置変更されるため、この点においても、収容袋３の着脱作業を迅速且つ容易に行うことができるようになる。そして、仕切体１５の取付位置を変更すると、隣り合う収容袋３，３の開口３ａ，３ａ間を仕切ることと、これに対応して投入口１４を仕切ることとが同時に行われるため、段取りを簡素化することができるようになる。
【００５２】
また、本実施形態は、各収容袋３の開口３ａが主筐体２及び装置本体１の正面パネル１３によって覆われ、正面パネル１３に、各開口３ａに繋がる投入口１４を設けるにようしている、即ち、投入口１４が筐体の正面部であって、背の低い位置（投入操作を行う際に、特に大きく腰を屈めたりすることなく手が自然と投入口１４にアクセスできるような位置）に形成されていて、人目に触れにくい配置となっているため、見栄えを良くすることができるようになる。
【００５３】
本実施形態に係る回収装置の説明は以上のとおりであるが、本発明は、上記実施形態に限定されるものではなく、本発明の要旨を逸脱しない範囲で種々の変更が可能である。
【００５４】
例えば、上記実施形態においては、分別を目的として回収装置を使用するが、これに限定されない。同じ種類のものを複数の収容袋に分けて入れるようにしてもよい。
【００５５】
また、上記実施形態においては、収容袋３を三つ装着するようにしているが、収容袋３は複数であればよく、例えば二つとか、あるいは四つ以上であってもよい。この場合、収容袋３の数に応じて仕切体１５の数が増減することになる。
【００５６】
また、上記実施形態においては、収容袋３として角底袋を採用しているが、これに限定されず、丸底袋や多角底袋を採用してもよいし、あるいは、不定形の収容袋であってもよい。
【００５７】
また、上記実施形態においては、両端の収容袋３に対しては、一方の把手３０をフレーム１２に係止するようになっているが、フレーム１２の両端部にも支持部１０を備える仕切体１５を取り付けるようにし、ここに把手３０を係止するようにしてもよい。
【００５８】
また、上記実施形態においては、複数の収容袋３，…が横一列に並ぶ配置となっているが、これに限定されず、例えば、複数列に配置したり、環状に配置しても構わない。
【００５９】
また、上記実施形態においては、装置本体１がキャスター１７，…によって移動可能に構成されているが、これに限定されず、例えば、定置式であったり（必要に応じて主筐体２を移動可能にすることもあり得る）、あるいは、装置本体を移動可能な構成にするとしても、キャスター１７の代わりになる公知の手段を全て採用することができる。
【００６０】
また、上記実施形態においては、投入口１４を筐体の側方（正面部）に設けるようにしたが、これに限定されず、例えば、筐体の上方（天面部）に設けるようにしてもよい。
【００６１】
また、上記実施形態においては、装置本体１と主筐体２とが分離可能な構成となっているが、これに限定されず、筐体がボックスタイプのものや、筐体が装置本体と一体化しているものであってもよい。
【００６２】
また、分離可能な構成を採る場合、正面パネル１３（即ち、筐体の一部）を装置本体１側に設けるのではなく、正面パネル１３に相当する扉（片開きでも両開きでも構わない）を主筐体２側に設けるようにしてもよい。
【００６３】
また、上記実施形態においては、収容袋３、フレーム１２等が筐体内に収容されるようになっているが、これは必須ではなく、見栄えの観点から言えば、少なくとも各収容袋３の開口３ａの外方空間が覆われるようになっていればよい。
【００６４】
また、上記実施形態においては、フレーム１２における支持部１０、仕切体１５における支持部１０は、ともに支持金具１１からなるものであって、そのため、フレーム１２あるいは仕切体１５と別体に構成されているが、これに限定されず、フレームあるいは仕切体と一体的に構成されていてもよい。
【００６５】
また、上記実施形態においては、上部フレーム１２ａの適宜箇所に係止用スリット１２ｅが形成され、仕切体１５は、この位置で位置決めされるようになっているが、これに限定されず、仕切体がフレームを投入口の長手方向に沿ってスライド可能に構成され、これにより、仕切体が無段階的に位置変更できるように構成されていてもよい。
【００６６】
また、上記実施形態においては、仕切体１５に、収容袋３の把手３０を支持するための支持部１０が設けられているため、仕切体１５の取付位置を変更すると、それに伴い、支持部１０も位置変更されるようになっているが、支持部１０を仕切体１５と切り離して別構成に設けるようにし、仕切体１５の取付位置を変更することと、当該別構成を移動して支持部１０の位置を変更することとを独立して行うようにしてもよい。
【００６７】
また、上記実施形態においては、把手３０が収容袋３とは別体に構成されているが、これに限定されず、収容袋の開口縁部と一体的に構成されていてもよい。
【００６８】
また、上記実施形態においては、収容袋３の開口３ａが上方に開いた状態で該収容袋３を支持し、従って、投入口１４は、収容袋３の開口３ａに対して側方からアクセスするようになっているが、これに限定されず、開口が横方向を向くような収容袋の形態や、開口が横方向に向くような収容袋の装着姿勢も採用可能であり、また、開口は上方を向くようであっても、そこから開口の方向を転換するような中継部材を介装させてもよい。
【００６９】
また、上記実施形態においては、仕切体１５の先端部が投入口１４に入り込んでいるわけではなく、従って、投入口１４が仕切体１５によって物理的に完全に仕切られるわけではないが、廃棄物等を投入口１４から内部に投入する際、廃棄物等が隣の収容袋３に入り込んでしまうわけではなく、この点、投入口１４は、仕切体１５によって作用的に仕切られていると言える。この観点からすれば、隣り合う収容袋３，３の開口３ａ，３ａ間が仕切体１５によって物理的に完全に仕切られていない態様であったとしても、投入口１４と同様、作用的に仕切られているのであれば、何ら問題とはならない。
【００７０】
また、上記実施形態においては、上部フレーム１２ａに対して収容袋３を上方から内部に挿入して収容袋３を取り付ける一方、収容袋３を上方に持ち上げて取り外すような態様を説明したが、これに限定されず、収容袋３をフレーム１２の側方（より正確には、上部フレーム１２ａと下部フレーム１２ｂとの間の開放空間）から出し入れして収容袋３を取り付け・取り外しするようにしてもよい。収容物の蓄積程度によっては、収容袋３を取り出す際の作業負担の観点から、その方が好ましい。
【００７１】
また、上記実施形態においては、装置本体１に対して筐体（主筐体２や正面パネル１３）を設けるようにしているが、これに限定されず、筐体を無くすことで、各収容袋３の開口３ａが露呈した格好となり、廃棄物等を収容袋３の開口３ａから内部に直接投入するようにしてもよい。
【００７２】
また、上記実施形態においては、仕切体１５をフレーム１２に対して着脱自在且つ位置変更自在に設け、収容袋３の開口サイズに応じて取付位置を変更するにしているが、これに限定されず、仕切体はフレームに対して固定されていてもよい。より積極的に言えば、仕切体自体が不要でもあり得る（この場合、複数の収容袋３，…を把手３０，…を介して支持可能となるようなフレーム構造に変更する必要がある。）。
【００７３】
また、上記実施形態においては、把手３０の取付部３０ａに係止部３０ｂが連結され、該係止部３０ｂに把持部３０ｃが連結される構造となっているが、これに限定されず、係止部３０ｂと把持部３０ｃとがそれぞれ独立して取付部３０ａに設けられるようになっていてもよい。
【００７４】
また、把持部３０ｃが係止部３０ｂに従属するか、把持部３０ｃと係止部３０ｂとが独立するかに関わらず、把持部３０ｃを係止部３０ｂよりも上方に設けるのではなく、図９に示す如く、把持部３０ｃが、係止部３０ｂに対し、収容袋３の開口３ａの中心側に変位される（例えば、屈曲したり、湾曲させる等）ようにしても、同様の効果を奏する。
【００７５】
また、上記実施形態においては、端部挿入用筒孔３２が片側だけにある例を説明したが、例えば、端部止着用突片３２ａを設ける代わりに、これも端部挿入用筒孔で構成してもよい。この場合（上記実施形態においてもそうであるが）、端部挿入用筒孔３２の孔径を把手３０の端部よりも十分に大きくしておき、遊びを設けるようにしておけば、収容袋３の開口縁部に対して把手３０を所定範囲で上下動させることができる。これにより、収容袋３を取り外す際、収容袋３自体は動かさずとも、把手３０を支持部１０（支持金具１１）から外すことが可能となる。
【図面の簡単な説明】
【００７６】
【図１】本実施形態に係る回収装置であって、装置本体が主筐体から引き出された状態の斜視図を示す。
【図２】同回収装置であって、装置本体が主筐体内に収容された状態の斜視図を示す。
【図３】（イ）は、図２のＡ−Ａ線断面背面図、（ロ）は、図２のＢ−Ｂ線断面平面図、をそれぞれ示す。
【図４】同回収装置に装着される収容袋であって、（イ）は、把手を取り外した状態の要部拡大側面図、（ロ）は、把手を取り付けた状態の要部拡大側面図、をそれぞれ示す。
【図５】同収容袋であって、（イ）は、襠部を展開した状態の要部拡大側面図、（ロ）は、襠部を絞った状態の要部拡大側面図、（ハ）は、絞った箇所の要部拡大平面図、をそれぞれ示す。
【図６】同回収装置における同収容袋の支持構造であって、（イ）は、通常の状態の要部拡大部分断面正面図、（ロ）は、把手の姿勢を変化させた状態の要部拡大部分断面正面図、をそれぞれ示す。
【図７】同回収装置における仕切体の取付位置の一例であって、（イ）は、全体正面図、（ロ）は、装置本体の背面図、をそれぞれ示す。
【図８】同仕切体の取付位置を変更した一例であって、（イ）は、全体正面図、（ロ）は、装置本体の背面図、をそれぞれ示す。
【図９】同収容袋の把手の変形例であって、（イ）は、把持部が係止部と独立して設けられ、且つ把持部が取付部及び係止部に対してオフセットしたもの、（ロ）は、把持部が係止部と独立して設けられ、且つ把持部が取付部及び係止部に対して傾斜したもの、（ハ）は、把持部が係止部に従属して設けられ、且つ把持部が取付部及び係止部に対してオフセットしたもの、をそれぞれ示す。
【符号の説明】
【００７７】
１  装置本体（ダストカート）
１０  支持部
１１  支持金具
１１ａ  係止用突片
１２  フレーム
１２ａ  上部フレーム
１２ｂ  下部フレーム
１２ｃ  縦フレーム
１２ｄ  底フレーム
１２ｅ  係止用スリット
１３  正面パネル
１４  投入口
１５  仕切体
１６  グリップバー
１７  キャスター（転動手段）
１８  タグ
２  主筐体（多目的ドック）
２０  天板
２１  側板
２２  背板
２３  化粧板
３  収容袋
３ａ  開口
３０  把手
３０ａ  取付部
３０ｂ  係止部
３０ｃ  把持部
３１  止着用突片
３１ａ  端部止着用突片
３１ｂ  中央部止着用突片
３２  端部挿入用筒孔
３３  一方の面ファスナ
３４  他方の面ファスナ
３５  一方の面ファスナ
３６  他方の面ファスナ
３６ａ  折り返し片
【図１】
2009120326.tif 000003
【図２】
2009120326.tif 000004
【図３】
2009120326.tif 000005
【図４】
2009120326.tif 000006
【図５】
2009120326.tif 000007
【図６】
2009120326.tif 000008
【図７】
2009120326.tif 000009
【図８】
2009120326.tif 000010
【図９】
2009120326.tif 000011